(57)【要約】【課題】棒状物を取り出すために棒状物収納状態における容器本体内の受け座部材の係止を解除した際、棒状物がゆっくり前方に移動し、棒状物が容器本体の外部に放り出されることを防止する。【解決手段】容器本体２の内部に、棒状物Ｘ，Ｙの後端を支持する受け座部材５を前後動自在に収容する。棒状物収納状態において前記受け座部材５が前方付勢状態で容器本体２内に係止される。前記係止を解除することにより、受け座部材５が前方移動して棒状物Ｘ，Ｙを突出状態にする。容器本体２内部にエアダンパー機構（空気孔７１を備えたエアダンパー空間７）を設ける。棒状物収納状態における容器本体２内の受け座部材５の係止を解除した際、エアダンパー機構が受け座部材５の前方移動のスピードを抑えてなる。【選択図】  図１
2004314984.tif 000002
【特許請求の範囲】
【請求項１】
容器本体の内部に、棒状物の後端を支持する受け座部材を前後動自在に収容し、棒状物収納状態において前記受け座部材が前方付勢状態で容器本体内に係止され、前記係止を解除することにより、前記受け座部材が前方移動して棒状物を突出状態にする棒状物収納容器であって、容器本体内部にエアダンパー機構を設け、棒状物収納状態における容器本体内の受け座部材の係止を解除した際、前記エアダンパー機構が、受け座部材の前方移動のスピードを抑えてなることを特徴とする棒状物収納容器。
【請求項２】
前記エアダンパー機構が、受け座部材の後方に設けられるエアダンパー空間と、該エアダンパー空間の内部と外部との間を空気流通させる空気孔とからなり、受け座部材の前方移動に伴い前記エアダンパー空間の容積が拡張し、前記エアダンパー空間の内圧が一時的に減少してなる請求項１記載の棒状物収納容器。
【請求項３】
容器本体と受け座部材との間にカム機構を設け、前記カム機構が、容器本体内面に設けたカム溝とカム歯とからなるカム部と、前方に付勢され前記カム部に係合可能な回転子と、前記回転子と前後に当接して前記回転子を回転させる、受け座部材の後面に設けたカム斜面とからなり、前記カム機構が、棒状物または受け座部材を後方に押圧することにより、容器本体の前端開口部から容器本体内に棒状物が収納され、その後に、棒状物または受け座部材を後方に押圧することにより、容器本体の前端開口部から棒状物が取り出し可能に突出されるよう構成されてなり、前記エアダンパー空間が、回転子に設けた、後端が開口された有底筒部と、前記有底筒部の内周面と密接摺動される外周面を備えた、容器本体底部に設けた栓部とからなる請求項２記載の棒状物収納容器。
【発明の詳細な説明】
【０００１】
【発明の属する技術分野】
本発明は、棒状物収納容器に関する。本発明で、「前」とは、容器本体の開口側を指し、「後」とは、その反対側を指す。
【０００２】
【従来の技術】
従来、この種の棒状物収納容器において、例えば、特許文献１には、一端に開口部を有する収納室をケース体に形成し、該収納室内に収納体（本願の棒状物）を係止しうる受止め部材（本願の受け座部材）を設けると共に、収納体の押圧操作で収納体を収納、取出し可能とするカム機構を設け、さらに開口部に収納する収納体と密接嵌合する弾性密閉部材を設けてなる物品収納容器が開示されている。
【０００３】
【特許文献１】
実開昭６３−１７０７２号公報
【０００４】
【発明が解決しようとする課題】
前記従来の棒状物収納容器は、棒状物と受け座部材とが嵌合係止されているとしても、容器本体から棒状物を取り出すために棒状物を後方に押圧操作し、その後、その押圧操作を解除した際、弾発体の前方付勢により、棒状物が容器本体開口部から勢いよく前方に移動して、棒状物が容器本体の外部に放り出されるおそれがある。
【０００５】
本発明は、前記従来の問題点を解決するものであって、棒状物を取り出すために棒状物収納状態における容器本体内の受け座部材の係止を解除した際、棒状物がゆっくり前方に移動し、棒状物が容器本体の外部に放り出されるおそれがない棒状物収納容器を提供しようとするものである。
【０００６】
【課題を解決するための手段】
〔１〕本発明は、容器本体２の内部に、棒状物Ｘ，Ｙの後端を支持する受け座部材５を前後動自在に収容し、棒状物収納状態において前記受け座部材５が前方付勢状態で容器本体２内に係止され、前記係止を解除することにより、前記受け座部材５が前方移動して棒状物Ｘ，Ｙを突出状態にする棒状物収納容器１であって、容器本体２内部にエアダンパー機構を設け、棒状物収納状態における容器本体２内の受け座部材５の係止を解除した際、前記エアダンパー機構が、受け座部材５の前方移動のスピードを抑えてなること（請求項１）を要件とする。
【０００７】
前記請求項１の棒状物収納容器１によれば、棒状物Ｘ，Ｙを取り出すために棒状物収納状態における容器本体２内の受け座部材５の係止を解除した際、棒状物Ｘ，Ｙがゆっくり前方に移動し、棒状物Ｘ，Ｙ本体が容器の外部に放り出されるおそれがない。
【０００８】
〔２〕前記請求項１の棒状物収納容器１において、前記エアダンパー機構が、受け座部材５の後方に設けられるエアダンパー空間７と、該エアダンパー空間７の内部と外部との間を空気流通させる空気孔７１とからなり、受け座部材５の前方移動に伴い前記エアダンパー空間７の容積が拡張し、前記エアダンパー空間７の内圧が一時的に減少してなること（請求項２）が好ましい。
【０００９】
前記請求項２の棒状物収納容器１によれば、容器本体２の外径を大きくすることなく、エアダンパー空間７を容器本体２内部に簡易な構造により容易に設けることができる。もし、エアダンパー機構を、受け座部材５の底壁の前方に設けた場合、エアダンパー空間７を確保するために、容器本体２の外径を大きくしなければならないし、構造が複雑になる。
【００１０】
〔３〕前記請求項２の棒状物収納容器１において、容器本体２と受け座部材５との間にカム機構を設け、前記カム機構が、容器本体２内面に設けたカム溝３１とカム歯３２とからなるカム部３と、前方に付勢され前記カム部３に係合可能な回転子４と、前記回転子４と前後に当接して前記回転子４を回転させる、受け座部材５の後面に設けたカム斜面５３とからなり、前記カム機構が、棒状物Ｘ，Ｙまたは受け座部材５を後方に押圧することにより、容器本体２の前端開口部から容器本体２内に棒状物Ｘ，Ｙが収納され、その後に、棒状物Ｘ，Ｙまたは受け座部材５を後方に押圧することにより、容器本体２の前端開口部から棒状物Ｘ，Ｙが取り出し可能に突出されるよう構成されてなり、前記エアダンパー空間７が、回転子４に設けた、後端が開口された有底筒部と、前記有底筒部の内周面と密接摺動される外周面を備えた、容器本体２底部に設けた栓部８とからなる（請求項３）が好ましい。
【００１１】
前記請求項３の棒状物収納容器１によれば、回転子４を利用してエアダンパー空間７を構成するため、エアダンパー空間７を設けるための部品点数の増加を抑えることができる。また、回転子の内部にエアダンパー空間７が形成されるために、エアダンパー空間７を設けるために回転子４の後方に新たなスペースを設ける必要がなくなり、その結果、容器本体２の長手寸法が過度に長くなることがない。
【００１２】
【発明の実施の形態】
本発明の実施の形態を図面に従って説明する。
【００１３】
図１乃至図５に本発明の一実施例を示す。
【００１４】
本実施例の棒状物収納容器１は、容器本体２と、前記容器本体２内に前後方向に摺動可能に収容される受け座部材５と、前記受け座部材５の後方の容器本体２内に収容される回転子４と、前記容器本体２内に収容され、前記回転子４を前方に付勢する弾発体６と、前記容器本体２の前端開口部に装着可能なキャップ（図示せず）とからなる。前記棒状物収納容器１には、２種類の棒状物Ｘ、棒状物Ｙが収納される。
【００１５】
（容器本体）
前記容器本体２は、合成樹脂の射出成形により得られる、両端が開口された筒体よりなる内筒２１と、前記内筒２１の後部外周面に固着される金属製の有底筒体よりなる外筒２２とからなる。前記内筒２１の前部は前記外筒２２より前方に突出される。
【００１６】
前記容器本体２の後部の内周面には、鋸歯状のカム歯３２と、前記カム歯３２とカム歯３２の間に設けられ、軸方向に延びるカム溝３１とからなるカム部３が形成される。さらに、前記カム溝３１とカム溝３１の間には、前記カム溝３１より径方向の深さが浅く且つ前記カム溝３１と同じ幅の軸方向に延びるガイド溝３３が形成される。また、前記カム歯３２は、二つの傾斜面（長斜面と短斜面）を備える。
【００１７】
（受け座部材）
前記受け座部材５は、合成樹脂の射出成形により得られる。前記受け座部材５は、棒状物Ｘ，Ｙの後端が支持される底壁５１と、該底壁５１と連設される、軸方向に延びる仕切壁５２とを備える。前記仕切壁５２は、中央の筒部５２ａと、該筒部５２ａの外面より径方向外方に放射状に突出する、軸方向に延びる複数（具体的には４本）の板状部５２ｂとからなる。前記受け座部材５の底壁５１後面の中央には、凹部５１ａが形成される。また、前記受け座部材５の底壁５１後面の周縁部には、山形のカム斜面５３が周状に形成される。また、前記受け座部材５の底壁５１の外周面には、前記カム溝３１または前記ガイド溝３３に、前後方向に摺動可能に係合する複数（具体的には４個）のガイド突起５４が等間隔に形成される。
【００１８】
（回転子）
前記回転子４は、合成樹脂の射出成形により得られる。前記回転子４は、前端が閉塞され且つ後端が開口された大径の有底筒部を備え、軸心に横断面円形状の内孔４３が軸方向に形成され、前記内孔４３が後方に開口される。回転子４の前面の中央には、前記受け座部材５の底壁５１後面の凹部５１ａに挿入可能な凸部４２が形成される。また、前記回転子４の外周面は、軸方向に延び且つ径方向外方に突出する複数（具体的には４本）のカム突条４１が等間隔に形成される。前記カム突条４１の側部が、前記カム溝３１に前後方向に摺動可能に係合する。前記カム突条４１の前端部は、傾斜面となっており、前記カム突条４１の前端部が、前記受け座部材５後端のカム斜面５３及び容器本体２内面のカム歯３２と係合する。
【００１９】
（栓部材）
前記回転子４の後方の容器本体２の内壁には、前端が開口され且つ後端が閉塞された小径の有底筒部を備えた栓部材８（栓部）が設けられる。具体的には、栓部材８の底壁が弾発体６の弾発力により外筒２２の底壁に当接され、回転子５と共に栓部材８が容器本体２に対して回転可能に配置される。前記栓部材８は、有底筒部の外周面に環状突起８１を備え、該環状突起８１が、前記回転子４の内孔４３の内周面と環状に密接しながら前後方向に摺動する。前記栓部材８の有底筒部の前端開口部が、回転子４の内孔４３の後端開口部より挿入され、前記回転子４の有底筒部の内周面と栓部材８の有底筒部の外周面とを前後に摺動可能に構成することにより、エアダンパー空間７が形成される。前記栓部材８の環状突起８１後方の側壁には、エアダンパー空間７の内部と外部とを空気流通可能にし且つその空気流通を抑制する空気孔７１（オリフィス）が貫設される。
【００２０】
（弾発体）
前記回転子４の底壁と前記栓部材８の底壁との間には、圧縮コイルスプリングよりなる弾発体６が圧縮状態で収容配置される。前記弾発体６により、回転子４が前方に付勢される。前記回転子４の前面は受け座部材５の後面と当接しているため、前記回転子４が前方に付勢されると同時に、前記受け座部材５が前方に付勢される。本実施例では、前記弾発体６は、エアダンパー空間７の内部に収容配置されているが、エアダンパー空間７の外部に配置されてもよい。
【００２１】
（押圧操作）
図３の状態（棒状物収納状態）から棒状物Ｘ，Ｙを後方に押圧操作することにより、図１の状態（棒状物突出状態）となる。さらに、図１の状態から棒状物Ｘ，Ｙを後方に押圧操作することにより、図３の状態に戻る。
【００２２】
（棒状物を収納させる操作）
棒状物Ｘ，Ｙの突出状態（図１，図２）から棒状物Ｘ，Ｙを弾発体６の前方付勢に抗して後方に押圧操作することにより、受け座部材５と共に回転子４が後方へ移動し、その際、回転子４のカム突条４１がカム溝３１に沿って後方に移動する。その後、前記カム突条４１がカム溝３１から後方に抜け出し、前記回転子４が回転方向にフリーとなる。その時、受け座部材５の山形のカム斜面５３とカム突条４１の前端部との当接によって、回転子４が回転方向に僅かに送られる。そして、前記カム突条４１の前端部が、カム部３のカム歯３２の長斜面に当接し案内され、カム歯３２と係止状態となり、棒状物Ｘ，Ｙが容器本体２内部に収納された状態（図３，図４）となる。
【００２３】
（棒状物を突出させる操作）
棒状物Ｘ，Ｙの収納状態（図３、図４）から棒状物Ｘ，Ｙを弾発体６の前方付勢に抗して後方に押圧操作すると、受け座部材５と共に回転子４が後方に移動し、回転子４のカム突条４１がカム歯３２から前方に抜け出し、回転方向にフリーとなる。その時、受け座部材５の山形のカム斜面５３とカム突条４１の前端部との当接によって、回転子４が回転方向に僅かに送られる。
【００２４】
その後、前記押圧操作を解除すると（即ち、棒状物収納状態における容器本体２内の受け座部材５の係止を解除すると）、カム突条４１の前端部がカム歯３２の短斜面に当接し案内されて、次のカム溝３１に係合される。前記カム突条４１がカム溝３１に係合されると、弾発体６の前方付勢により、回転子４が大きく前方に移動すると共に受け座部材５が前方に大きく移動し、棒状物Ｘ，Ｙが容器本体２の外部へ大きく突出されされた状態（図１，図２）となり、棒状物Ｘ，Ｙの取り出しが可能となる。この時、前記受け座部材５のガイド突起５４がカム溝３１の前端部内面またはガイド溝３３の前端面に当接され、それにより、受け座部材５の前方移動が規制される。
【００２５】
（エアダンパー機構の作用）
前記押圧操作を解除した際（即ち、棒状物収納状態における容器本体２内の受け座部材５の係止を解除した際）、回転子４が、弾発体６の前方付勢により、回転子４の内孔４３の内周面と栓部材８の外周面（具体的には環状突起８１）とを密接摺動させながら、栓部材８に対して前方に移動される。それにより、回転子４と栓部材８とにより形成されたエアダンパー空間７が拡張され、前記エアダンパー空間７が一時的に減圧状態となる。前記エアダンパー空間７が減圧状態となると同時に、空気孔７１を介して外部より空気が少しずつエアダンパー空間７の内部に取り込まれる。前記空気孔７１が、エアダンパー空間７の内部と外部との空気流通を抑制するよう設定されているため、回転子４は前方へ勢いよく移動することがなく、ゆっくりと前方に移動する。前記回転子４の前方移動に伴い、受け座部材５及び棒状物Ｘ，Ｙが、ゆっくりと前方に移動し、容器本体２外部に突出される。
【００２６】
【発明の効果】
前記請求項１の棒状物収納容器によれば、棒状物Ｘ，Ｙを取り出すために棒状物収納状態における容器本体内の受け座部材の係止を解除した際、棒状物Ｘ，Ｙがゆっくり前方に移動し、棒状物Ｘ，Ｙが容器本体の外部に放り出されるおそれがない。
【００２７】
請求項２の棒状物収納容器によれば、容器本体の外径を大きくすることなく、エアダンパー空間を容器本体内部に簡易な構造により容易に設けることができる。
【００２８】
請求項３の棒状物収納容器によれば、エアダンパー空間を設けるための部品点数の増加を抑えることができる。また、エアダンパー空間を設けるために回転子の後方に新たなスペースを設ける必要がなくなり、その結果、容器本体の長手寸法が過度に長くなることがない。
【図面の簡単な説明】
【図１】本発明の一実施例の棒状物突出状態を示す縦断面図である。
【図２】図１の要部拡大縦断面図である。
【図３】図１の実施例の棒状物収納状態を示す縦断面図である。
【図４】図３の要部拡大縦断面図である。
【図５】図１の内筒、回転子、受け座部材を示す分解図である。
【符号の説明】
１  棒状物収納容器
２  容器本体
２１  内筒
２２  外筒
３  カム部
３１  カム溝
３２  カム歯
３３  ガイド溝
４  回転子
４１  カム突条
４２  凸部
４３  内孔
５  受け座部材
５１  底壁
５１ａ  凹部
５２  仕切壁
５２ａ  筒部
５２ｂ  板状部
５３  カム斜面
５４  ガイド突起
６  弾発体
７  エアダンパー空間
７１  空気孔
８  栓部材（栓部）
８１  環状突起
Ｘ  棒状物
Ｙ  棒状物
【図１】
2004314984.tif 000003
【図２】
2004314984.tif 000004
【図３】
2004314984.tif 000005
【図４】
2004314984.tif 000006
【図５】
2004314984.tif 000007